(57)【特許請求の範囲】
【請求項１】
一つの被検物体の像を観察するための左右一対の接眼光学系と；
前記一対の接眼光学系のうち少なくとも一方の眼側に配置され、前記被検物の像を結像する結像光学系と、前記結像光学系の像面位置に配置される結像面とを含む撮像装置とを備え；
前記撮像装置は前記少なくとも一方の接眼光学系に着脱可能に構成され；
さらに、前記左右一対の接眼光学系に対応し、前記被検物体位置で交差する光軸をそれぞれ有し、前記一つの被検物体の像を結像する左右一対の対物光学系を備え；
前記左右一対の接眼光学系と、前記左右一対の対物光学系とが一体の構造物として構成され、前記一体の構造物が、前記交差する光軸を含む平面に対して直交する軸線を中心として回転可能であり、前記交差する光軸のうち、前記撮像装置が配置された一方の光軸を、前記被検物体を載置する載置面に対して垂直に設定可能なように構成されることを特徴とする；
双眼顕微鏡。
【請求項２】
前記一方の接眼光学系の前記着脱する部分には、該接眼光学系が収納された略円筒状の接眼レンズ筒の径より大きな張り出し部を有し、該張り出し部を介して前記撮像装置を嵌合させる、
請求項１に記載の双眼顕微鏡。
【請求項３】
前記一方の接眼光学系の眼側に前記撮像装置を配置したとき、前記他方の接眼光学系の眼側に配置され前記他方の接眼光学系を介して前記被検物体を照明する照明装置を備え、前記照明装置は前記他方の接眼光学系に着脱可能に構成されていることを特徴とする、
請求項１に記載の双眼顕微鏡。
【請求項４】
前記他方の接眼光学系の前記着脱する部分には、該接眼光学系が収納された略円筒状の接眼レンズ筒の径より大きな張り出し部を有し、該張り出し部を介して前記照明装置を嵌合させる、
請求項３に記載の双眼顕微鏡。
【請求項５】
前記双眼顕微鏡における撮像方法であって、前記一体の構造物を、前記交差する光軸を含む平面に対して直交する軸線を中心として回転することにより、前記交差する光軸のうち、前記撮像装置が配置された一方の光軸を、前記被検物体を載置する載置面に対してほぼ垂直にして前記被検物体を撮像することを特徴とする、請求項１乃至請求項４に記載の双眼顕微鏡による
撮像方法。
【発明の詳細な説明】
【０００１】
【発明の属する技術分野】
本発明は左右一対の光学系を有した双眼顕微鏡とその双眼顕微鏡を用いた撮像方法に関し、特に小型で軽量な双眼顕微鏡とそれを用いた撮像方法に関する。
【０００２】
【従来の技術】
双眼顕微鏡は両眼に対応した左右一対の光学系を有し、小さな物体を拡大して観察するための光学機器である。一般に、片目で像を観察することは眼に疲労を与え、長時間の観察を困難にすることから、顕微鏡においても両眼で観察できる双眼顕微鏡が普及している。双眼顕微鏡のなかでも特に立体像を観察できる実体顕微鏡のうち、いわゆる内斜式実体顕微鏡は、一般に、一対の対物レンズ系と、一対の正立用プリズム系と、一対の接眼レンズ系とからなり、左右両眼でそれぞれ独立した結像光学系を有している。
【０００３】
【発明が解決しようとする課題】
以上のような従来の双眼顕微鏡はそのほとんどが屋内での使用を前提として開発され、大きいうえに重量も重く野外に持ち出して観察することは事実上無理があった。またこのような双眼顕微鏡に付加する撮影装置は、その機構が複雑で携帯性も悪い上に高価であった。
【０００４】
ところが、最近になり、野外に気軽に持ち出すことのできる軽量小型で持ち運びに便利な双眼顕微鏡が開発されたことによって、これまでは比較的倍率の低いルーペか、もしくは単眼の顕微鏡を用いなければならなかった野外での小さな物体の観察、例えば昆虫や植物、鉱石等を気軽に観察することができるようになった。それ伴い目による観察だけでなく観察対象物の画像の記録や複数人による同時観察等も求められ、小型の双眼顕微鏡に付加する事が出来る撮影装置が必要とされている。ところが、このような小型の顕微鏡に従来の双眼顕微鏡用の撮影装置を付加しようとすると、構造も複雑になり大きく高価な物になってしまい、軽量小型の双眼顕微鏡としての利点を損なってしまう。
【０００５】
そこで、本発明は上述の技術的な課題に鑑み、小型で軽量化されながらも画像の記録や同時観察などを簡便に行うことができ、野外に持ち出して使用できるような携帯用の双眼顕微鏡とそれを用いた撮像方法を提供することを目的としている。
【０００９】
【課題を解決するための手段】
上記目的を達成するために、請求項１に係る発明による双眼顕微鏡は、図２に示すように、一つの被検物体１０の像を観察するための左右一対の接眼光学系４ａ、４ｂと；一対の接眼光学系４ａ、４ｂのうち少なくとも一方（例えば４ａ）の眼側に配置され、被検物１０の像を結像する結像光学系６と、結像光学系６の像面位置に配置される結像面７とを含む撮像装置５とを備え；撮像装置５は少なくとも一方の接眼光学系（例えば４ａ）に着脱可能に構成され；さらに、左右一対の接眼光学系４ａ、４ｂに対応し、前記被検物体１０位置で交差する光軸ＡＸ１、ＡＸ２をそれぞれ有し、一つの被検物体１０の像を結像する左右一対の対物光学系２ａ、２ｂを備え；左右一対の接眼光学系４ａ、４ｂと、左右一対の対物光学系２ａ、２ｂとが一体の構造物として構成され、前記一体の構造物が、交差する光軸ＡＸ１、ＡＸ２を含む平面に対して直交する軸線Ｘ１を中心として回転可能であり、前記交差する光軸のうち、前記撮像装置５が配置された一方の光軸ＡＸ１を、前記被検物体１０を載置する載置面１ａに対して垂直に設定可能なように構成されることを特徴とする。このとき、対物光学系２ａ、２ｂは、被検物体１０からの光を集光し、接眼光学系４ａ、４ｂと協働して像を結像する。このとき、対物光学系２ａ、２ｂは、被検体物１０からの光を集光し、接眼光学系４ａ、４ｂと協働して像を結像する。
ここで、結像光学系６はレンズ付カメラの構造に代表されるような１枚のレンズであってもよいし、複数のレンズ群により構成される光学系であってもよく、複数のレンズ群により構成される場合は、収差を少なくする等結像性能の高い結像光学系とすることができる。また、結像面を撮像素子とすれば、該撮像素子に接続した液晶表示装置やＣＲＴ等による表示ができ、多人数による観察が可能である。また、電子的な記録も可能である。さらに、結像面を例えばフィルムにすれば、被検物の像を記録することができる。撮像装置は、一対の接眼光学系の一方だけでなく両方に配置してもよく、そのときは、左右の像をフィルムや磁気記録装置に記録したり、液晶表示装置等に表示することができる。この双眼顕微鏡は、１対の接眼レンズ系と共に対物レンズ系も１対を備えた実体顕微鏡の他、例えば接眼レンズ系は２系統備えるが対物レンズ系は１系統しか備えない双眼顕微鏡であってもよい。
このように構成すると、一方の接眼光学系の眼側に配置される撮像装置を備えるので、撮像装置で被検物体を撮像乃至撮影をすることができ、撮像装置に例えば記録装置やモニターを接続すれば、直接目によって観察するだけでなく、画像を記録したり、モニターに表示したりすることができる。
【００１０】
このように構成すると、一対の接眼光学系に対応して被検物体の位置で交差する光軸をそれぞれ有する一対の対物光学系を備えるので、立体像を観察するいわゆる実体顕微鏡として構成することができる。また、撮像装置を左右両方の接眼レンズに配置し、それら撮像装置にそれぞれ例えば記録装置やモニターを接続すれば、立体像を直接目によって観察するだけでなく、写真として記録したり、モニターに表示して立体眼鏡を用いて、立体像の多人数による観察が可能となる。
【００１１】
このように構成すると、交差する光軸を含む平面に対して直交する軸線を中心として回転可能に構成されるので、一方の光軸を被検面に垂直にすることができる。このようにすると、視野内において左右のピント差がない平坦な像を得ることができ、また回転可能とすることにより収納が楽で持ち運びの容易な双眼顕微鏡を実現できる。
【００１３】
さらに、請求項３に記載のように、請求項１に記載の双眼顕微鏡では、一方の接眼光学系例えば４ａの眼側に撮像装置５を配置したとき、他方の接眼光学系４ｂの眼側に配置され該他方の接眼光学系４ｂを介して被検物体１０を照明する照明装置１９を備え、照明装置１９は該他方の接眼光学系４ｂに着脱可能に構成されていることを特徴としてもよい（図３）。このときは、照明光学系で被検物体面を照明することができ暗い場所での観察に適する。
【００１４】
また、請求項５に記載のように、請求項１乃至請求項４に記載の双眼顕微鏡を用いた撮像方法であって、前記一体の構造物を、交差する光軸ＡＸ１、ＡＸ２を含む平面に対して直交する軸線Ｘ１を中心として回転することにより、交差する光軸ＡＸ１、ＡＸ２のうち、撮像装置５が配置された一方の接眼光学系に対応する対物光学系の光軸（例えばＡＸ１）を、被検物体１０を載置する載置面１ａに対してほぼ垂直にして被検物体１０を撮像することを特徴としてもよい。
【００１５】
なお一般に、双眼顕微鏡を用いた撮像方法として、被検物体１０の位置で交差する光軸ＡＸ１、ＡＸ２をそれぞれ有する左右一対の光学系により被検物体１０を撮像する際に、前記左右一対の光学系を前記交差する光軸ＡＸ１、ＡＸ２を含む平面に対して直交する軸線を中心として回転して、前記交差する光軸ＡＸ１、ＡＸ２のうちの一方（例えばＡＸ１）を被検物体１０を載置する載置面１ａに対してほぼ垂直にし、前記垂直にされた光軸を有する光学系から被検物体１０を撮像するようにしてもよい（図２）。このようにすると、視野内において左右のピント差がない平坦な像を得ることができる。
【００１６】
【発明の実施の形態】
以下、本発明の実施の形態について、図面を参照して説明する。なお、各図において互いに同一あるいは相当する部材には同一符号を付し、重複した説明は省略する。
【００１７】
図１及び図２は本発明における双眼顕微鏡の第１の実施の形態の概略図である。本実施の形態の双眼顕微鏡は、一つの被検物体の像を結像して観察するための左右一対の内斜型光学系を有し、その主な構成として、一対の対物光学系としての対物レンズ系２ａ、２ｂと、一対の正立用プリズム系３ａ、３ｂと、一対の接眼光学系としての接眼レンズ系４ａ、４ｂを有し、さらに被検物体である観察物体１０を載置するステージ１が設けられている。そして、片方の接眼レンズ系４ａの眼側の位置に撮像装置５が配置され、この撮像装置５は接眼レンズ系４ａの鏡筒部分に容易に着脱可能な構成となっている。
【００１８】
前記ステージ１は観察物体１０を載置するための基台であり、前記光学系側の面である該観察物体１０を載置する載置面１ａは前記ステージ１を水平面に置いた時に水平面となるように設けられている。また、このステージ１は略逆Ｔ字状に設けられており、略水平な机や台などに載せた場合には、当該双眼顕微鏡自体を直立するように支えることができる。このステージ１は、一対の対物レンズ系２ａ、２ｂを内部に支持する対物レンズハウジング２ｃに接続されるが、その接続する途中に、一対の対物レンズ系２ａ、２ｂから前記ステージ１の載置面１ａまでの距離を可変とするステージ移動機構１ｂが設けられている。このステージ移動機構１ｂに設けられたつまみ１ｃを操作することで、ステージ１ａが水平面に置かれた場合の垂直方向に相対的に移動して、観察物体１０を観察できる。
【００１９】
このステージ移動機構１ｂを含んだステージ１は、対物レンズハウジング２ｃに回転軸Ｘ１を中心に回動自在に取り付けられている。この回転軸Ｘ１は、双眼顕微鏡の左右の対物レンズ系２ａ、２ｂの光軸ＡＸ１、ＡＸ２が存在する平面に直交する。前記ステージ１のステージ移動機構１ｂは回転軸Ｘ１の方向で対物レンズハウジング２ｃとずれて設けられており、このステージ１部分を１８０度回動させて折り曲げることで、収納時に一層コンパクトにする事ができて携帯に非常に有利となる。
【００２０】
前記対物レンズハウジング２ｃに収納された一対の対物レンズ系２ａ、２ｂは図１に示すように角度θ１をもって内斜しており、ステージ１の基準的な位置が焦点位置となり、且つ両方の光軸ＡＸ１、ＡＸ２がそこで交差するように構成されている。この対物レンズハウジング２ｃの上部には、左右それぞれの正立用プリズム系３ａ、３ｂを内部に収納したプリズムハウジング３ｃ、３ｄが固定して取り付けられている。このプリズムハウジング３ｃ、３ｄ内の所要の位置で、対物レンズ像が左右それぞれ形成される。
【００２１】
前記一対の接眼レンズ系４ａ、４ｂは略円筒状の接眼レンズ筒４ｃ、４ｄ内に収納され、それぞれプリズムハウジング３ｃ、３ｄの上部に傾斜した角度をもって取り付けられており、左右それぞれの前記対物レンズ像を拡大して射出する。この接眼レンズ筒４ｃ、４ｄの眼側である上端部には、略円筒状の接眼レンズ筒４ｃ、４ｄの径よりやや大きな径を持った環状の張り出し部４１ａ、４１ｂがそれぞれ設けられている。この張り出し部４１ａ、４１ｂは、接眼レンズ筒４ｃ，４ｄと一体で形成されていてもよいし、別途作られた環状部材金物を接眼レンズ筒４ｃ、４ｄに固定的に取り付けて形成してもよい。
【００２２】
このような双眼顕微鏡には、本実施の形態において、さらに撮像装置５が一方の接眼レンズ系４ａ側に着脱自在に取り付けられる。この撮像装置５は、撮像装置本体５１の内部にＣＣＤ等の撮像素子７を設け、その撮像素子７の受光側に所要のレンズまたはレンズ群からなる結像光学系６を配したものである。撮像装置本体５１の下端部は、前記張り出し部４１ａに着脱自在となる溝５２が形成されており、この溝５２が前記張り出し部４１ａに嵌合することで、撮像装置５が双眼顕微鏡の一部となる。溝５２の嵌合する機構は、例えば、カメラに取り付けるストロボの機構を利用して、板バネ等を配したスナップ機構とすることもできる。この撮像装置５には信号を出力するための図示しない端子が取り付けられるが、複数の観察者が同時観察するための液晶などからなる小さなモニターを設けても良い。
【００２３】
前記結像光学系６は、接眼レンズ系４ａから射出する光線を撮像素子７の受光部に結像するものであり、この時、接眼レンズ系４ａから射出する各画角の光線は、接眼レンズ系４ａの射出瞳を通るので、撮像装置５の結像光学系６の入射瞳の位置が双眼顕微鏡の接眼レンズ系４ａの射出瞳位置もしくは射出瞳位置近傍に配置されるように撮像装置５を配置することが好ましい。また接眼レンズ系４ｂからは観察物体１０からの光線が平行光線として射出しているので、観察者は撮像装置５で物体を撮像すると同時に、接眼レンズ系４ｂより肉眼で物体を拡大して観察することができる。このように、接眼レンズ系４ｂにより観察することで、撮像装置５で撮像すべき観察物体１０上の位置を定める位置決め観察を行うことができる。
【００２４】
さらに、観察者が接眼レンズ系４ｂから物体を観察しない場合、接眼レンズ系４ｂから双眼顕微鏡に入射する平行な光線は、顕微鏡の光学系を介して観察する物体面上に結像することになる。つまり遠方にある光源からの光線が、接眼レンズ系４ｂ側から入射すると、その像が観察対象物の物体面上に結像してしまい画像上に映り込んでしまう。従って、光軸ＡＸ２の光路中に接眼レンズ系４ｂから入射する光線を遮ることができる切り替えもしくは着脱可能な遮光部材を配置すればこの物体面上への余分な光線の映り込みを取り除いて、良好な画像を得ることができる。本実施の形態では、このような余分な光線を遮断するための遮光部材は、接眼レンズ系４ｂの上端の張り出し部４１ｂに嵌合する遮光キャップ９である。この遮光部材は、この遮光キャップ９以外にも単にスロットから光を通さない板を挿入するような簡便な機構でも良く、回転式やシャッター機構などでもよい。また、遮光キャップ９を設ける位置も接眼レンズ系４ｂの上端側に限定されず、他の光軸ＡＸ２の光路中の部分であれば良い。
【００２５】
このような構成から双眼顕微鏡の物体面にある観察物体１０を容易に撮像することができ、かつ双眼顕微鏡や撮像装置の構成も簡単にすることができるうえ、撮像装置５の着脱も容易に行うことができ、特に撮像装置５を外した時には、双眼顕微鏡自体が小型で携帯可能となることから、野外活動に使用する場合に好適なものとなる。
【００２６】
図２は、本第１の実施の形態の顕微鏡部８を内斜角θ1 の半分の角度θ１／２だけ傾斜させた時の概略図である。顕微鏡部８は、一対の対物レンズ系２ａ、２ｂと、一対の正立用プリズム系３ａ、３ｂと、一対の接眼レンズ系４ａ、４ｂとからなる光学ブロックであり、図２において破線で示した範囲の部材である。前述のように、双眼顕微鏡の顕微鏡部８はステージ１に対して、左右の光学系の光軸ＡＸ１、ＡＸ２が存在する平面に直交する回転軸Ｘ１を中心に回転可能となっており、撮像装置５は一方の接眼レンズ系４ａの眼側の位置に配置されている。顕微鏡部８を回転軸Ｘ１を中心に双眼顕微鏡の光学系の光軸ＡＸ１と光軸ＡＸの内斜角θ１の半分のθ１／２だけ図中反時計まわり回転させると、図２に示すように、撮像装置５を有する側の光学系の光軸ＡＸ１は観察物体１０の載置面１ａのあるステージ1 に対してほぼ垂直になる。
【００２７】
一般に、内斜型の双眼顕微鏡は左右の光軸が物体面に対して傾くことによって、視野の左右方向でピント差が生じてしまい、特に観察する物体が平坦な物である場合に、左右の視野周辺部で像がぼけてしまうという欠点が生じる。そこで本実施の形態のように顕微鏡部８が回転可能に構成され、左右の光軸ＡＸ１、ＡＸ２の内斜角θ1 の半分の角度だけ顕微鏡部８を回転させ、撮像装置５を配置した側の光学系の光軸ＡＸ１を観察物体１０の載置面１ａのあるステージ１に対して垂直にして撮像することが出来れば、視野内の左右のピント差が無い平坦な像を得ることができる。ただしこの時には観察する物体の位置は、顕微鏡部を回転させる前の位置から水平方向に移動した位置になる。図示を省略しているが、ここで撮像装置５を取り付けている方の顕微鏡の光学系の光軸ＡＸ１をステージ1 に垂直になる位置に導入し易くなるようなガイド機構と、回転部を固定する機構とが本実施の形態の双眼顕微鏡に設けられており、撮像にかかる光学系の光軸ＡＸ１を容易に垂直な角度に支持することができる。
【００２８】
図３は本発明における双眼顕微鏡の第２の実施の形態の概略図である。
第２の実施の形態の双眼顕微鏡は、第１の実施の形態の双眼顕微鏡とその光学系や機構部分について実質的に同一の構成を有し、同一の部材については同一の引用符号をもって図３に表し、重複する説明を省略する。異なっている部分は、撮像装置５の取り付けられていない接眼レンズ系４ｂ側に、観察物体１０を照明するための照明装置１９を配置している点である。
【００２９】
前記撮像装置５は接眼レンズ系４a の鏡筒部分に容易に着脱可能な構成となっているが、照明装置１９も撮像装置５と同様に接眼レンズ系４ｂの鏡筒部分に容易に脱着可能な構成となっている。すなわち、この照明装置１９は照明装置本体２１の中空部に、照明用の光源２０を配設させたものであり、この光源２０は例えばハロゲンランプ等で構成することができ、他の光源も使用可能であって、携帯性やコスト、照明能力などを考慮して適宜選択される。照明装置本体２１の下端部には、前記撮像装置５と同様に、前記張り出し部４１ｂに着脱自在となる溝５３が形成されており、この溝５３が前記張り出し部４１に嵌合することで、照明装置１９が双眼顕微鏡の一部となる。溝５３の嵌合する機構は、前記撮像装置５の溝５２と同様に例えばカメラに取り付けるストロボの機構を利用して、板バネ等を配したスナップ機構とすることもできる。
【００３０】
このような照明装置１９の光源２０からの光線は、接眼レンズ系４ｂ、正立プリズム系３ｂ、対物レンズ系２ｂを介して観察する観察物体１０上に照射される。このような構成により、内蔵照明の無い双眼顕微鏡にも容易に照明装置を取り付けることができ、暗いところでの撮像が可能となる。前記照明装置１９の光源２０を、双眼顕微鏡の接眼レンズ系４ｂの射出瞳位置もしくは射出瞳位置近傍に配置すれば、照明装置１９の光源２０の照明が均一でなくても物体面を均一に落射照明することができて好ましい。
【００３１】
また、この第２の実施の形態の双眼顕微鏡は、第１の実施の形態と同様に、一対の接眼光学系４ａ、４ｂと、一対の対物光学系２ａ、２ｂとが一体の構造物として構成されており、一体の構造物としての回転可能な顕微鏡部８を、双眼顕微鏡の左右の光学系の光軸ＡＸ１、ＡＸ２が存在する平面に直交する回転軸Ｘ１を中心に、左右の光軸ＡＸ１とＡＸ２の内斜角θ１の半分の角度θ１／２だけ回転させて、撮像装置５を配置した側の光学系の光軸ＡＸ１を物体面のあるステージ１の載置面１ａに対して垂直に支持して撮像することができ、視野内の左右のピント差が無い平坦な像を得ることが出来る。なお、第１の実施の形態、第２の実施の形態において、回転軸Ｘ１を観察物体１０の観察点に対応する軸線とほぼ一致するようにとれば、上記のように回転させたときに、観察点が移動しないので好ましい。さらに本実施の形態の双眼顕微鏡も、それぞれ顕微鏡部８を回転軸Ｘ１を中心に１８０度いずれの角度にも回転させることができ、収納時に一層コンパクトにすることができ、携帯に非常に有利となる。
【００３２】
以上の実施の形態では、１対の接眼レンズ系４ａ、４ｂと共に対物レンズ系も１対、即ち２系統２ａ、２ｂを備えた実体顕微鏡として説明したが、その他の双眼顕微鏡一般、例えば接眼レンズ系は２系統備えるが対物レンズ系は１系統の双眼顕微鏡に応用することもできる。
【００３３】
上述の第１、第２の実施の形態の撮像装置５には例えばＣＣＤカメラやデジタルスチルカメラ等を用いれば、撮像された画像はビデオテープやメモリー等の記録媒体を使用することによって保存することができ、このような画像の信号をモニター等に表示すれば容易に複数の人数で同時に観察することができるようになる。
前記目的を達成するために、本発明による双眼顕微鏡は、図３に示すように、一つの被検物体１０の像を観察するための左右一対の接眼光学系４ａ、４ｂと；一対の接眼光学系４ａ、４ｂのうち少なくとも一方（例えば４ａ）の眼側に配置され、被検物１０の像を結像する結像光学系６と、結像光学系６の像面位置に配置される結像面７とを含む撮像装置５とを備え；撮像装置５は少なくとも一方の接眼光学系（例えば４ａ）に着脱可能に構成され；一方の接眼光学系例えば４ａの眼側に前記撮像装置５を配置したとき、他方の接眼光学系４ｂの眼側に配置され他方の接眼光学系４ｂを介して被検物体１０を照明する照明装置１９を備え、照明装置１９は他方の接眼光学系４ｂに着脱可能に構成されていることを特徴とする。このときは、照明光学系で被検物体を照明することができ暗い場所での観察に適する。
前記目的を達成するために、本発明による双眼顕微鏡は、図３に示すように、一つの被検物体の像を観察するための左右一対の接眼光学系４ａ、４ｂと；一対の接眼光学系４ａ、４ｂのうち少なくとも一方例えば４ａの眼側に配置され、被検物１０の像を結像する結像光学系６と、結像光学系６の像面位置に配置される結像面７とを含む撮像装置５とを備え；撮像装置５は前記少なくとも一方の接眼光学系例えば４ａに着脱可能に構成され；さらに、左右一対の接眼光学系４ａ、４ｂに対応し、被検物体１０の位置で交差する光軸ＡＸ１、ＡＸ２をそれぞれ有し、一つの被検物体１０の像を結像する左右一対の対物光学系２ａ、２ｂを備え；一方の接眼光学系例えば４ａの眼側に前記撮像装置５を配置したとき、他方の接眼光学系４ｂの眼側に配置され前記他方の接眼光学系４ｂを介して被検物体１０を照明する照明装置１９を備え、照明装置１９は前記他方の接眼光学系４ｂに着脱可能に構成されていることを特徴とする。このときは、照明光学系で被検物体を照明することができ暗い場所での観察に適する。
【００３４】
なお、本発明を効果的に用いるために、本発明中の実施の形態中では軽量小型な携帯用双眼顕微鏡について記述してきたが、本発明は本明細書に記載されている実施の形態に限定されるものではなく、撮像装置や照明装置の構成や着脱機構等は、本発明の趣旨に合った様々な構成を取ることが出来ることは明らかである。
【００３５】
【発明の効果】
以上のように本発明によれば、小さな物体を拡大して観察することのできる双眼顕微鏡において、簡単な操作によって撮像装置を装着することによって観察物体を観察したり撮影したりすると共に映像や記録を残すことができる。また、撮像装置は、その着脱が容易に行えることから、小型軽量な双眼顕微鏡の携帯性をさらに充実させることができる。特に野外に本発明の双眼顕微鏡を持ち出して使用した場合に、極めて有益である。
【図面の簡単な説明】
【図１】本発明の双眼顕微鏡の第１の実施の形態の構成を示す模式図である。
【図２】前記第１の実施の形態の撮像装置が取り付けられた側の光学系の光軸を垂直にした場合を示す模式図である。
【図３】本発明の双眼顕微鏡の第２の実施の形態の構成を示す模式図である。
【符号の説明】
０    観察物体
１    ステージ
１ａ  載置面
２ａ、２ｂ    対物レンズ系
３ａ、３ｂ    正立用プリズム系
４ａ、４ｂ    接眼レンズ系
５    撮像装置
６    結像光学系
７    撮像素子
８    顕微鏡部
９    遮光キャップ
１９    照明装置
２０    光源
Ｘ１  回転軸
ＡＸ１、ＡＸ２  光軸
【図１】
0004300601.tif 000002
【図２】
0004300601.tif 000003
【図３】
0004300601.tif 000004